(57)【要約】【課題】  磁石接着の際の位置ズレ、衝撃試験にて磁石接着部の剥がれが発生する。【解決手段】  センターポール４ａとフランジ４ｂを有するポールピース４と、ポールピース４のフランジ４ｂに、センターポール４ａを中心にして円環状の磁石５を固定し、さらに磁石５の上面に円環状のトッププレート６を固定して外磁型の磁気回路部３を形成し、上支持ばね７と下支持ばね８により磁気回路部３をカバー内に弾性支持し、ボイスコイル１０を固定した振動板９をカバーに取り付けて、センターポール４ａ外周とトッププレート６内周でつくる磁気ギャップにボイスコイル１０が位置するように構成し、ポールピース４のフランジ４ｂに磁石位置決め用突起４ｃを、ポールピース４の中心を通る線上に、1対の突起内側壁４ｄが対向するように設けて、磁石５を位置決めし、磁石５は、フランジ４ｂ面と突起内側壁４ｄ面で接合するので接触面積が拡大し、接着固定力が向上する。【選択図】    図２
2005269152.tif 000002
【特許請求の範囲】
【請求項１】
センターポールとフランジを有するポールピースと、該ポールピースのフランジに、センターポールを中心にして円環状の磁石を固定し、さらに該磁石の上面に円環状のトッププレートを固定して外磁型の磁気回路部を形成し、少なくとも１個の支持ばねにより前記磁気回路部をカバー内に弾性支持し、ボイスコイルを固定した振動板をカバーに取り付けて、前記センターポール外周とトッププレート内周でつくる磁気ギャップにボイスコイルが位置するように構成し、前記ポールピースのフランジに磁石位置決め用突起を形成したことを特徴とする多機能型スピーカ。
【請求項２】
前記磁石位置決め用突起は、ポールピースの中心を通る線上に、複数又は少なくとも1対の突起内側壁が対向するように配設し、該突起内側壁で磁石を位置決めするように構成したことを特徴とする請求項1記載の多機能型スピーカ。
【請求項３】
前記センターポールを中心にして固定される円環状の磁石は、前記フランジ面と磁石位置決め用突起の突起内側壁面で接合するように接触面積を拡大し、接着固定力を向上させたことを特徴とする請求項1または２記載の多機能型スピーカ。
【発明の詳細な説明】
【技術分野】
【０００１】
本発明は、携帯電話やペィジヤーなどの移動体通信機に組み込み、着信を音響あるいは振動によって使用者に知らせる多機能型スピーカに関するものである。
【背景技術】
【０００２】
近年、携帯電話などの移動体通信機器は、一般に、使用者に着信を知らせるのにブザー音やメロディ音を発することと、音を出さずに振動することを切り替えて使えるように構成されており、小型スピーカに類する音響発生用の発音体と、偏心錘を小型モータで回転させて振動を発生する振動体を内蔵させる構造が取られてきた。このような発音体と振動体の両方を組み込むのは機器の小型化や低価額化の上で不便であったが、近年、１個の発音体で音響と振動の両方を発生するものが用いられるようになった（例えば、特許文献１参照）。
上記した特許文献１に開示されている多機能型スピーカの概要について説明する。図５（ａ）は多機能型スピーカの平面図、図５（ｂ）は図５（ａ）のＡ−Ａ線断面図である。図５において、樹脂製の下カバー２１と上カバー２２よりなるケースに磁気回路部２３を収容してあり、該磁気回路部２３は、センターポール２４ａとフランジ２４ｂよりなる磁性材料のポールピース２４のフランジ２４ｂに、サマリウム・コバルトなどの材料よりなる円環状の磁石２５を接着などの手段で固定し、磁石２５の上面に、円環状の磁性材料よりなるトッププレート２６
を接合したものである。
【特許文献１】特開２００１−２３１０９６号公報（第３〜４頁、図１）
【０００３】
前記トッププレート２６に上支持ばね２７の内周部を点溶接その他の手段で固定し、前記上支持ばね２７の外周部を上カバー２２に接着やインサート成形で固定して、前記磁気回路部２３を弾性支持し、振動部を構成している。２７ａは前記上支持ばね２７の一部がケースの外部の延出する接地端子で、外部回路への組み込み時に磁気回路部２３が帯びている静電気を接地に逃がして、回路の静電破壊を防ぐ作用をする。
【０００４】
前記磁気回路部２３は、下支持ばね２８で下面側を支持し、内周部を前記ポールピース２４に点溶接などにより固定し、外周部が下カバー２１に固定する。前記上カバー２２の上面に振動板２９の外周を固定してあり、振動板２９にはボイスコイル３０が固定してあって、ボイスコイル３０はセンターポール２４ａの外周とトッププレート２６の内周で形成される磁気ギャップ内に位置している。磁性体のリング３２は磁気回路部２３を遮蔽して発生磁界がケース外部に漏れるのを防ぐために設けたものである。上カバー２２には外部回路との接続用に２個の接続端子３１が設けてあり、前記ボイスコイル３０の巻き線の端末を半田付けなどでこれに接続する。
【０００５】
上記した多機能型スピーカの動作は、接続端子３１を通じてボイスコイル３０に信号電流を流すと、磁気回路部２３とボイスコイル３０の間に交番的に電磁力を発生し、信号の周波数が可聴周波数帯にあれば振動板２９が振動して音響を発生し、周波数がそれより低くなれば振動板２９の振動は小さくなって音を発生しなくなり、代わりに上支持ばね２７、下支持ばね２８で支持された磁気回路部２３が機械振動して、その振動がケースを経てこれを組み込んだ機器に伝わり、使用者に着信を知らせる。
【発明の開示】
【発明が解決しようとする課題】
【０００６】
解決しようとする問題点は、ポールピースのフランジに円環状の磁石を接着する際に、磁石の位置決めガイドがないので、接着位置のズレが発生し易い。また、落下衝撃試験にて、磁石とポールピースの接着部剥がれが発生し易いなどの問題があった。
【課題を解決するための手段】
【０００７】
上記課題を解決するために、本発明における多機能型スピーカは、センターポールとフランジを有するポールピースと、該ポールピースのフランジに、センターポールを中心にして円環状の磁石を固定し、さらに該磁石の上面に円環状のトッププレートを固定して外磁型の磁気回路部を形成し、少なくとも１個の支持ばねにより前記磁気回路部をカバー内に弾性支持し、ボイスコイルを固定した振動板をカバーに取り付けて、前記センターポール外周とトッププレート内周でつくる磁気ギャップにボイスコイルが位置するように構成し、前記ポールピースのフランジに磁石位置決め用突起を形成したことを特徴とするものである。
【０００８】
また、前記磁石位置決め用突起は、ポールピースの中心を通る線上に、複数数又は少なくとも1対の突起内側壁が対向するように配設し、該突起内側壁で磁石を位置決めするように構成したことを特徴とするものである。
また  前記センターポールを中心にして固定される円環状の磁石は、前記フランジ面と磁石位置決め用突起の突起内側壁面で接合するように接触面積を拡大し、接着固定力を向上させたことを特徴とするものである。
【発明の効果】
【０００９】
本発明の多機能型スピーカは、ポールピースのフランジに磁石位置決め用突起を設けることにより、組み立ての際に磁石は、突起内側壁により位置決めされて、従来発生していた位置ズレが防止され、磁石の接着作業が容易になった。また、ポールピースに固定される磁石の接着面は、フランジ面と、磁石の外周側面で接着が可能になり、接着面積が大幅に拡大されるため、接着固定力が増し、衝撃に対しても磁石の接着剥がれを防止することが可能である。
【発明を実施するための最良の形態】
【００１０】
【実施例】
【００１１】
図１〜図４は、本発明の実施例に係わり、図１は、多機能型スピーカの平面図、図２は、図１のB−B線断面図、図３は、図１のポールピースの平面図、図４は、図３のＣ−Ｃ線断面図である。図１、図２において、樹脂製の下カバー１と上カバー２よりなるケースに磁気回路部３を収容してあり、該磁気回路部３は、センターポール４ａとフランジ４ｂよりなる磁性材料のポールピース４のフランジ４ｂに、サマリウム・コバルトなどの材料よりなる円環状の磁石５を接着などの手段で固定し、磁石５の上面に、円環状の磁性材料よりなるトッププレート６を接合したものである。
【００１２】
図３、図４において、前記ポールピース４は、フランジ４ｂの外周部に磁石位置決め用突起４ｃを設ける。該磁石位置決め用突起４ｃは、ポールピース４の中心を通る線上に、1対の突起内側壁４ｄが対向するように配設し、該突起内側壁４ｄで磁石５を位置決めするように構成する。
【００１３】
また  前記センターポール４ａを中心にして固定される円環状の磁石５は、前記フランジ４ｂ面と磁石位置決め用突起の突起内側壁４ｄ面で接合するように接触面積を拡大し、接着することにより、接着固定力を向上させることができる。
【００１４】
前記トッププレート６に上支持ばね７の内周部を点溶接その他の手段で固定し、前記上支持ばね７の外周部を上カバー２に接着やインサート成形で固定して、前記磁気回路部３を弾性支持し、振動部を構成していることは、従来技術と同様である。
【００１５】
前記磁気回路部３は、下支持ばね８で下面側を支持し、内周部を前記ポールピース４に点溶接などにより固定し、外周部が下カバー１に固定する。前記上カバー２の上面に振動板９の外周を固定してあり、振動板９にはボイスコイル１０が固定してあって、ボイスコイル１０はセンターポール４ａの外周とトッププレート６の内周で形成される磁気ギャップ内に位置している。上カバー２には外部回路との接続用に２個の接続端子１１が設けてあり、前記ボイスコイル１０の巻き線の端末を半田付けなどでこれに接続する。
【００１６】
上記した多機能型スピーカの動作そのものは、従来技術と同様に、信号の周波数が可聴周波数帯にあれば振動板９が振動して音響を発生し、周波数がそれより低くなれば振動板９の振動は小さくなって音を発生しなくなり、代わりに、磁気回路部３が機械振動して、その振動がケースを経てこれを組み込んだ機器に伝わり、使用者に着信を知らせる。ポールピース４のフランジ４ｂに設けた磁石位置決め用突起４ｃにより、組み立ての際に磁石５の位置決めは容易であり、ポールピース４に固定される磁石５の接着面は、磁石５の外周側面との接着が可能になり、接着面積が大幅に拡大されるため、接着固定力が向上される。
【００１７】
上述したように、本発明の多機能型スピーカは、組み立ての際に発生する、磁石接着位置ズレを防止すると共に、衝撃に対して磁石剥がれ防止に優れた多機能型スピーカを提供することが可能である。
【図面の簡単な説明】
【００１８】
【図１】本発明の実施例に係わる多機能型スピーカの平面図である。
【図２】図１のＢ−Ｂ線断面図である。
【図３】図１のポールピースの平面図である。
【図４】図３のＣ−Ｃ線断面図である。
【図５】従来技術に係わり、図５（ａ）は多機能型スピーカの平面図、図５（ｂ）は図５（ａ）のＡ−Ａ線断面図である。
【符号の説明】
【００１９】
１  下カバー
２  上カバー
３  磁気回路部
４  ポールピース
４ａ  センターポール
４ｂ  フランジ
４ｃ  磁石位置決め用突起
４ｄ  突起内側壁
５  磁石
６  トッププレート
７  上支持ばね
８  下支持ばね
９  振動板
１０  ボイスコイル
１１  接続端子
【図１】
2005269152.tif 000003
【図２】
2005269152.tif 000004
【図３】
2005269152.tif 000005
【図４】
2005269152.tif 000006
【図５】
2005269152.tif 000007